(57)【要約】【課題】リモコン装置の製造コスト、管理コストを低減するリモコン装置を提供する。【解決手段】本体ケースと、前記本体ケースに固定され、押し操作が可能とされ前記押し操作に応じてトイレ装置の機器を操作する操作ボタンと、前記本体ケースに収納され、前記操作ボタンに応じて、機器に通信信号を送信する制御部と、を備えたリモコン装置であって、前記本体ケースには、第１操作ボタンが固定可能であって、前記第１の操作ボタンに変わり、前記第１操作ボタンが固定される前記本体ケースの固定位置に、前記第１の操作ボタンに変わり、前記第１操作ボタンと大きさが異なる第２操作ボタンと第３操作ボタンとが固定可能であることを特徴とするリモコン装置。【選択図】  図２
2018170565.tif 000002
【特許請求の範囲】
【請求項１】
本体ケースと、
前記本体ケースに固定され、押し操作が可能とされ前記押し操作に応じてトイレ装置の機器を操作する操作ボタンと、
前記本体ケースに収納され、前記操作ボタンに応じて、機器に通信信号を送信する制御部と、を備えたリモコン装置であって、
前記本体ケースには、第１操作ボタンが固定可能であって、
前記第１の操作ボタンに変わり、前記第１操作ボタンが固定される前記本体ケースの固定位置に、前記第１の操作ボタンに変わり、前記第１操作ボタンと大きさが異なる第２操作ボタンと第３操作ボタンとが固定可能であることを特徴とするリモコン装置。
【請求項２】
前記第１の操作ボタンの裏側には、第１ヒンジ部と、第１抜け止め部を備え、
前記本体ケースには、前記第１ヒンジ部に固定されるケースヒンジ部と、前記第１抜け止め部に固定されるケース抜け止め部を備え、
前記ケースヒンジ部には、前記第２操作ボタンの裏側に設けられた第２ヒンジ部と第３操作ボタンの裏側に設けられた第３ヒンジ部とが固定可能で、前記ケース抜け止め部には、前記第２操作ボタンの裏側に設けられた第２抜け止め部と前記第３操作ボタンの裏側に設けられた第３抜け止め部とが固定可能であることを特徴とする請求項１に記載のリモコン装置。
【請求項３】
前記第１操作ボタンの裏側には、前記制御部を機能させる第１押圧部を複数個備え、
前記第２操作ボタンの裏側には、前記制御部を機能させる第２押圧部を備え、
前記第３操作ボタンの裏側には、前記制御部を機能させる第３押圧部を備え、
前記制御部は、前記第１押圧部に応じて、機器に第１通信信号を送信し、
前記制御部は、前記第２押圧部に応じて、機器に前記第１通信信号を送信し、
前記制御部は、前記第３押圧部に応じて、機器に第３通信信号を送信し、
前記制御部は、前記第２押圧部と前記第３押圧部が押圧された際には、機器に第１通信信号を送信することを特徴とする請求項１または２に記載のリモコン装置。
【発明の詳細な説明】
【技術分野】
【０００１】
本発明は、リモコン装置に関する。
【背景技術】
【０００２】
従来から、トイレ装置を操作するリモコン装置が知られている。
【０００３】
例えば、特許文献１では、トイレ装置を操作するリモコン装置が開示されている。
【０００４】
このようなリモコン装置では、ボタンの配置、構成はリモコン装置毎に決まっている。そのため、リモコン装置が備えるボタンが異なる毎に、リモコン装置に異なる、つまり、リモコン装置の品番が異なっていた。
【先行技術文献】
【特許文献】
【０００５】
【特許文献１】特開２０１６−５１４０号公報
【発明の概要】
【発明が解決しようとする課題】
【０００６】
リモコン装置の品番が多品番となると、製造コスト、管理コストが増えてしまうという問題があった。
【０００７】
そこで、本発明は、リモコン装置の製造コスト、管理コストを低減するリモコン装置を提供することを目的とする。
【課題を解決するための手段】
【０００８】
本発明の第１態様に係るリモコン装置は、本体ケースと、前記本体ケースに固定され、押し操作が可能とされ前記押し操作に応じてトイレ装置の機器を操作する操作ボタンと、前記本体ケースに収納され、前記操作ボタンに応じて、機器に通信信号を送信する制御部と、を備えたリモコン装置であって、前記本体ケースには、第１操作ボタンが固定可能であって、前記第１操作ボタンに変わり、前記第１操作ボタンが固定される前記本体ケースの固定位置に、前記第１操作ボタンに変わり、前記第１操作ボタンと大きさが異なる第２操作ボタンと第３操作ボタンとが固定可能であることを特徴とするリモコン装置である。  
【０００９】
この構成によれば、本体ケースに、第１操作ボタンを固定したリモコン装置と、第１操作ボタンに変わり、本体ケースに第２操作ボタンと第３操作ボタンとを固定したリモコン装置と提供することができる。そのため、本体ケース一つに対して、操作ボタンを変えるだけで、リモコン装置を二つ提供することができ、設置現場で、操作ボタンを変えるだけで、簡単に、リモコン装置を変えることもできる。よって、リモコン装置の製造コスト、管理コストを低減するリモコン装置を提供することができる。
【００１０】
本発明の第２態様に係るリモコン装置は、前記第１の操作ボタンの裏側には、第１ヒンジ部と、第１抜け止め部を備え、前記本体ケースには、前記第１ヒンジ部に固定されるケースヒンジ部と、前記第１抜け止め部に固定されるケース抜け止め部を備え、前記ケースヒンジ部には、前記第２操作ボタンの裏側に設けられた第２ヒンジ部と第３操作ボタンの裏側に設けられた第３ヒンジ部とが固定可能で、前記ケース抜け止め部には、前記第２操作ボタンの裏側に設けられた第２抜け止め部と前記第３操作ボタンの裏側に設けられた第３抜け止め部とが固定可能であることを特徴とするリモコン装置である。
【００１１】
この構成によれば、簡単な構成で、本体ケース一つに対して、操作ボタンを変えるだけで、リモコン装置を二つ提供することができ、設置現場で、操作ボタンを変えるだけで、簡単に、リモコン装置を変えることもできる。よって、リモコン装置の製造コスト、管理コストを低減するリモコン装置を提供することができる。
【００１２】
本発明の第３態様に係るリモコン装置は、前記第１操作ボタンの裏側には、前記制御部を機能させる第１押圧部を複数個備え、前記第２操作ボタンの裏側には、前記制御部を機能させる第２押圧部を備え、前記第３操作ボタンの裏側には、前記制御部を機能させる第３押圧部を備え、前記制御部は、前記第１押圧部に応じて、機器に第１通信信号を送信し、前記制御部は、前記第２押圧部に応じて、機器に前記第１通信信号を送信し、前記制御部は、前記第３押圧部に応じて、機器に第３通信信号を送信し、前記制御部は、前記第２押圧部と前記第３押圧部が押圧された際には、機器に第１通信信号を送信することを特徴とするリモコン装置である。
【００１３】
この構成によれば、制御部も共通化させる事ができるので、本体ケース一つ、制御部一つに対して、操作ボタンを変えるだけで、リモコン装置を二つ提供することができ、設置現場で、操作ボタンを変えるだけで、簡単に、リモコン装置を変えることもできる。よって、リモコン装置の製造コスト、管理コストを低減するリモコン装置を提供することができる。
【発明の効果】
【００１４】
本発明のリモコン装置によれば、リモコン装置の製造コスト、管理コストを低減するリモコン装置を提供するができる。
【図面の簡単な説明】
【００１５】
【図１】本発明の実施の形態にかかるリモコン装置を表す模式的平面図である。
【図２】本実施形態にかかる操作ボタンの裏側を表す模式的平面図である。
【図３】本実施形態にかかる操作ボタンを外したケース本体を表す模式的平面図である。
【図４】本実施形態にかかる制御部と、操作ボタンとの関係を表す模式的平面図である。
【発明を実施するための形態】
【００１６】
以下、本発明の実施の形態について図面を参照しつつ説明する。なお、各図面中、同様の構成要素には同一の符号を付して詳細な説明は適宜省略する。図１は、本発明の実施の形態にかかるリモコン装置を表す模式的平面図である。
【００１７】
図１に表したように、本実施形態にかかるトイレ装置用のリモコン装置（以下、単に「リモコン装置」と称する）２００は、例えばトイレ室の壁面に設置され、図示しないトイレ装置とともに用いられる。図１（ａ）のリモコン装置２００は、第１操作ボタン２１０ａと、本体ケース３００と、を有するリモコン装置である。第１操作ボタン２１０ａは、本体ケース３００に固定されている。図１（ｂ）のリモコン装置２００は、第１操作ボタンに変わり、第２操作ボタン２１０ｂと第３操作ボタン２１０ｃと、本体ケース３００とを有する。第２操作ボタン２１０ｂと第３操作ボタン２１０ｃとは、本体ケース３００に固定されている。図１（ａ）、図１（ｂ）の本体ケース３００は、共通の本体ケースである。
【００１８】
それぞれの操作ボタンは、例えば、押し（押圧）操作が可能な、いわゆる押しボタンである。それぞれの操作ボタンは、定常位置と最下点位置とに移動可能であり、押し操作に応じて定常位置から最下点位置に移動する。また、それぞれの操作ボタンは、バネなどにより、操作されていない状態において定常位置に保持される。それぞれの操作ボタンは、押し操作によって最下点位置に移動した後、押し操作の解除によって定常位置に戻る。
【００１９】
リモコン装置２００は、それぞれの操作ボタンの操作を検出し、操作された操作ボタンに応じた通信信号をトイレ装置に送信する。トイレ装置は、リモコン装置２００から送信された通信信号を受信し、その通信信号に応じた動作を実行する。このように、リモコン装置２００は、使用者の操作に応じて、所定の動作の実行をトイレ装置に指示し、トイレ装置を遠隔操作する。
【００２０】
本実施形態では、第１操作ボタン２１０ａ、第２操作ボタン２１０ｂが、トイレ装置の便器を大洗浄する操作ボタンであり、第３操作ボタン２１０ｃが、トイレ装置の便器を小洗浄する操作ボタンである。なお、大洗浄と小洗浄との違いは、便器に流れる洗浄水の量の違いである。
【００２１】
図２は、本実施形態にかかる操作ボタンの裏側を表す模式的平面図である。図３は、本実施形態にかかる操作ボタンを外したケース本体を表す模式的平面図である。
【００２２】
図２（ａ）に示すように、第１操作ボタン２１０ａの裏側には、２つの第１ヒンジ部２１１ａ、２１１ｄ、２つの第１抜け止め部２１２ａ、２１２ｄ、カム押し棒である２つの第１押圧部２１３ａ、２１３ｂ、を備えている。図３に示すように、本体ケース３００には、４つのケースヒンジ部３０１ａ、３０１ｂ、３０１ｃ、３０１ｄと、４つのケース抜け止め部３０２ａ、３０２ｂ、３０２ｃ、３０２ｄと、２つの開口部３０３ａ、３０３ｂと備えている。
【００２３】
第１操作ボタン２１０ａの第１ヒンジ部２１１ａは、本体ケース３００のケースヒンジ部３０１ａに第１操作ボタン２１０ａを軸支するように、固定されており、第１ヒンジ部２１１ｄは、本体ケース３００のケースヒンジ部３０１ｄに第１操作ボタン２１０ａを軸支するように、固定されている。第１操作ボタン２１０ａの第１抜け止め部２１２ａは、本体ケース３００のケース抜け止め部３０２ａに第１操作ボタン２１０ａが本体ケース３００から抜けないように、固定されており、第１抜け止め部２１２ｄは、本体ケース３００のケース抜け止め部３０２ｄに第１操作ボタン２１０ａが本体ケース３００から抜けないように、固定されている。
【００２４】
第１操作ボタン２１０ａの第１押圧部２１３ａは、本体ケース３００に第１操作ボタンが固定された際に、本体ケース３００の開口部３０３ａに対応する位置に配置されている。第１操作ボタン２１０ａが、押圧操作された際に、第１押圧部２１３ａは、本体ケース３００の開口部３０３ａ内を移動する。第１操作ボタン２１０ａの第１押圧部２１３ｄは、本体ケース３００に第１操作ボタンが固定された際に、本体ケース３００の開口部３０３ｂに対応する位置に配置されている。第１操作ボタン２１０ａが、押圧操作された際に、第１押圧部２１３ｄは、本体ケース３００の開口部３０３ａ内を移動する。
【００２５】
図２（ａ）、図３に示すように、本体ケース３００に、第１操作ボタン２１０ａが固定された際には、本体ケース３００のケースヒンジ部３０１ｂ、３０１ｃ、ケース抜け止め部３０２ｂ、３０２ｃは、第１操作ボタン２１０ａに固定されていない構成となる。
【００２６】
次に、第１操作ボタン２１０ａに変わり、第２操作ボタン２１０ｂ、第３操作ボタン２０１ｃが、本体ケース３００に固定されているリモコン装置について、図２（ｂ）、図３を参照しつつ説明する。
【００２７】
図２（ｂ）に示すように、第２操作ボタン２１０ｂの裏側には、２つの第２ヒンジ部２１１ａ、２１１ｂ、２つの第２抜け止め部２１２ａ、２１２ｂ、カム押し棒である１つの第２押圧部２１３ａ、を備えている。第３操作ボタン２１０ｃの裏側には、２つの第３ヒンジ部２１１ｃ、２１１ｄ、２つの第３抜け止め部２１２ｃ、２１２ｄ、カム押し棒である１つの第３押圧部２１３ｂ、を備えている。
【００２８】
第２操作ボタン２１０ｂの第２ヒンジ部２１１ａは、本体ケース３００のケースヒンジ部３０１ａに第２操作ボタン２１０ｂを軸支するように、固定されており、第２ヒンジ部２１１ｂは、本体ケース３００のケースヒンジ部３０１ｂに第２操作ボタン２１０ｂを軸支するように、固定されている。第２操作ボタン２１０ｂの第２抜け止め部２１２ａは、本体ケース３００のケース抜け止め部３０２ａに第２操作ボタン２１０ｂが本体ケース３００から抜けないように、固定されており、第２抜け止め部２１２ｂは、本体ケース３００のケース抜け止め部３０２ｂに第２操作ボタン２１０ｂが本体ケース３００から抜けないように、固定されている。
【００２９】
第２操作ボタン２１０ｂの第２押圧部２１３ａは、本体ケース３００に第１操作ボタンが固定された際に、本体ケース３００の開口部３０３ａに対応する位置に配置されている。第２操作ボタン２１０ｂが、押圧操作された際に、第２押圧部２１３ａは、本体ケース３００の開口部３０３ａ内を移動する。
【００３０】
第３操作ボタン２１０ｃの第３ヒンジ部２１１ｃは、本体ケース３００のケースヒンジ部３０１ｃに第３操作ボタン２１０ｃを軸支するように、固定されており、第３ヒンジ部２１１ｄは、本体ケース３００のケースヒンジ部３０１ｄに第３操作ボタン２１０ｃを軸支するように、固定されている。第３操作ボタン２１０ｃの第３抜け止め部２１２ｃは、本体ケース３００のケース抜け止め部３０２ｃに第３操作ボタン２１０ｃが本体ケース３００から抜けないように、固定されており、第３抜け止め部２１２ｄは、本体ケース３００のケース抜け止め部３０２ｄに第３操作ボタン２１０ｃが本体ケース３００から抜けないように、固定されている。
【００３１】
第３操作ボタン２１０ｃの第３押圧部２１３ｂは、本体ケース３００に第３操作ボタンが固定された際に、本体ケース３００の開口部３０３ｂに対応する位置に配置されている。第３操作ボタン２１０ｃが、押圧操作された際に、第３押圧部２１３ｂは、本体ケース３００の開口部３０３ａ内を移動する。
【００３２】
図２、図３を参照に説明したように、第１操作ボタン２１０ａの第１ヒンジ部２１１ａと、第２操作ボタン２１０ｂの第２ヒンジ部２１１ａとは同じ構成となっており、第１操作ボタン２１０ａの第１ヒンジ部２１１ｄと第３操作ボタン２１０ｃの第３ヒンジ部２１１ｄとは同じ構成になっている。また、第１操作ボタン２１０ａの第１抜け止め部２１２ａと第２操作ボタン２１０ｂの第２抜け止め部２１２ａとは同じ構成になっており、第１操作ボタン２１０ａの第１抜け止め部２１２ｄと第３操作ボタン２１０ｃの第３抜け止め部２１２ｄとは同じ構成になっている。更に、第１操作ボタン２１０ａの第１押圧部２１３ａと、第２操作ボタン２１０ｂの第２押圧部２１３ａとは同じ構成になっており、第１操作ボタン２１０ａの第１押圧部２１３ｂと第３操作ボタン２１０ｃの第３押圧部２１３ｂとは同じ構成になっている。そのため、共通の本体ケース３００に、第１操作ボタン２１０ａのみを固定することもでき、第２操作ボタン２１０ｂと第３操作ボタン２１０ｃとを固定することができる。
【００３３】
よって、上述の構成により、本体ケース３００に、第１操作ボタン２１０ａを固定したリモコン装置２００と、第１操作ボタン２１０ａに変わり、本体ケース３００に第２操作ボタン２１０ｂと第３操作ボタン２１０ｃとを固定したリモコン装置２００と提供することができる。そのため、本体ケース一つに対して、操作ボタンを変えるだけで、リモコン装置を二つ提供することができ、設置現場で、操作ボタンを変えるだけで、簡単に、リモコン装置を変えることもできる。よって、リモコン装置の製造コスト、管理コストを低減するリモコン装置を提供することができる。
【００３４】
次に、本体ケース３００に収納され、操作ボタンに応じて、機器に通信信号を送信する制御部に関して、図４を参照しつつ説明する。図４は、本実施形態にかかる制御部と、操作ボタンとの関係を表す模式的平面図である。
【００３５】
図４（ａ）に示すように、本体ケース３００には、回転カム４０１ａ、４０１ｂと、リンク４０２と、連結アーム４０３と、可動部４０５と、本体モジュール（制御部）５００とを備える。回転カム４０１ａ、４０１ｂは、それぞれに操作ボタンの押圧部に応じて、回転する。回転カム４０１ａ、４０１ｂには、図示しない検出部が設けられている。検出部は、操作ボタンの押圧部によって、回転カム４０１ａ、４０１ｂが押圧されたか否かを判断する。リンク４０２は、回転カム４０１ａ、４０１ｂの回転に伴いスライド移動する。連結アーム４０３は、リンク４０２のスライドに伴い回転する。可動部４０５は、連結アーム４０３の回転に伴い、連結アーム４０３に押圧される。
【００３６】
本体モジュール５００は、内部に発電機を備えている。発電機は、可動部４０５が連結アーム４０３に押圧されることで、電気エネルギーを発電する。本体モジュール５００は、発電機で発電した電気エネルギーを使って、図示しないトイレ装置の便器に大洗浄用の洗浄水を流すように、トイレ装置に大洗浄の通信信号（第１通信信号）又は、図示しないトイレ装置の便器に小洗浄用の洗浄水を流すように、トイレ装置に小洗浄の通信信号（第３通信信号）を送信する。
【００３７】
図４（ｂ）は、回転カム４０１ａ、４０１ｂの両方が操作ボタンの押圧部に応じて、回転した状態を示す模式図である。図４（ｂ）に示すように、操作ボタンの押圧部が、押圧されることで、回転カム４０１ａ、４０１ｂの両方が半時計回りに回転している。回転カム４０１ａ、４０１ｂが回転に伴い、リンク４０３が右方向にスライド移動いている。リンク４０３が右方向にスライド移動したことにより、連結アーム４０３が時計回りに回転している。連結アーム４０３が時計回りに回転したことに伴い、可動部４０５が押圧されている。可動部４０５が押圧されたことで、本体モジュール５００の内部の発電機が発電し、電気エネルギー発電する。この電気エネルギーを使って、本体モジュール５００は、回転カム４０１ａ、回転カム４０１ｂに設けられた検出部から、回転カム４０１ａ、４０１ｂの両方が押圧されたことを読み取り、図示しないトイレ装置の便器に大洗浄用の洗浄水を流すように、トイレ装置に大洗浄の通信信号（第１通信信号）が送信されている。
【００３８】
次に、第１操作ボタン２１０ａ、第２操作ボタン２１０ｂ、第３操作ボタン２１０ｃと制御部５００との関係について、説明する。
【００３９】
図１（ａ）のように、本体ケース３００に第１操作ボタン２１０ａが固定されている状態で、第１操作ボタン２１０ａが使用者によって押圧されると、第１押圧部２１３ａ、２１３ｂが、回転カム４０１ａ、４０１ｂを押圧する。結果、回転カム４０１ａ、４０１ｂに設けられた検出部によって、制御部が回転カム４０１ａ、４０１ｂの両方が押圧されたことを読み取り、図示しないトイレ装置の便器に大洗浄用の洗浄水を流すように、トイレ装置に大洗浄の通信信号（第１通信信号）が送信される。
【００４０】
図１（ｂ）のように、本体ケース３００に第２操作ボタン２１０ｂ、第３操作ボタン２１０ｃが固定されている状態について説明する。第２操作ボタン２１０ｂが使用者によって押圧されると、第２押圧部２１３ａが、回転カム４０１ａのみを押圧し回転させる。結果、回転カム４０１ａに設けられた検出部によって、制御部が回転カム４０１ａのみが押圧されたことを読み取り、図示しないトイレ装置の便器に大洗浄用の洗浄水を流すように、トイレ装置に大洗浄の通信信号（第１通信信号）が送信される。
【００４１】
第３操作ボタン２１０ｃが使用者によって押圧されると、第３押圧部２１３ｂが、回転カム４０１ｂのみを押圧し回転させる。結果、回転カム４０１ｂに設けられた検出部によって、制御部が回転カム４０１ｂのみが押圧されたことを読み取り、図示しないトイレ装置の便器に小洗浄用の洗浄水を流すように、トイレ装置に小洗浄の通信信号（第３通信信号）が送信される。
【００４２】
もし、第２操作ボタン２１０ｂと第３操作ボタン２１０ｃとが使用者によって同時に押圧されると、第２押圧部２１３ａが、回転カム４０１ａを押圧し回転させ、第３押圧部２１３ｂが、回転カム４０１ｂを押圧し回転させる。結果、回転カム４０１ａに設けられた検出部と、回転カム４０１ｂに設けられた検出部とによって、制御部が回転カム４０１ａ、４０１ｂの両方が押圧されたことを読み取り、図示しないトイレ装置の便器に大洗浄用の洗浄水を流すように、トイレ装置に大洗浄の通信信号（第１通信信号）が送信される。
【００４３】
よって、上述の構成により、本体モジュール（制御部）も共通化させる事ができるので、本体ケース一つ、制御部一つに対して、操作ボタンを変えるだけで、リモコン装置を二つ提供することができ、設置現場で、操作ボタンを変えるだけで、簡単に、リモコン装置を変えることもできる。よって、リモコン装置の製造コスト、管理コストを低減するリモコン装置を提供することができる。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００４５】
２００  リモコン装置、２０１ａ  第１操作ボタン、２０１ｂ  第２操作ボタン、
２０１ｃ  第３操作ボタン、２１１ａ、２１１ｂ、２１１ｃ、２１１ｄ  ヒンジ部、
２１２ａ、２１２ｂ、２１２ｃ、２１２ｄ  抜け止め部、２１３ａ、２１３ｂ  押圧部、
３００  本体ケース、３０１ａ、３０１ｂ、３０１ｃ、３０１ｄ  ケースヒンジ部、
３０２ａ、３０２ｂ、３０２ｃ、３０２ｄ  ケース抜け止め部、
３０３ａ、３０３ｂ  開口部、４０１ａ、４０１ｂ  回転カム、４０２  リンク、
４０３  連結アーム、４０５可動部、５００本体モジュール（制御部）
【図１】
2018170565.tif 000003
【図２】
2018170565.tif 000004
【図３】
2018170565.tif 000005
【図４】
2018170565.tif 000006